(57)【要約】【課題】子供と親が別々の場所で過ごす時間に対する不安を解消でき、利便性を向上させることができるドアホンシステムの室内親機、ドアホンシステム、および、通信方法の提供に資すること。【解決手段】玄関扉の近傍に配置される玄関子機と、建物の内部に配置され、玄関子機と通信を行う室内親機と、を含むドアホンシステムにおける室内親機であって、１つ以上の小型無線通信装置から信号を受信し、玄関子機からの信号を無線通信装置へ送信する通信部と、小型無線通信装置から受信した信号に基づいて、無線通信装置に送信する信号を生成する制御部と、を備える。通信部は、制御部が生成した信号を無線通信装置へ送信する。【選択図】図２
2019092068.tif 000002
【特許請求の範囲】
【請求項１】
玄関扉の近傍に配置される玄関子機と、建物の内部に配置され、前記玄関子機と通信を行う室内親機と、を含むドアホンシステムにおける前記室内親機であって、
１つ以上の小型無線通信装置から信号を受信し、前記玄関子機からの信号を無線通信装置へ送信する通信部と、
前記小型無線通信装置から受信した信号に基づいて、前記無線通信装置に送信する信号を生成する制御部と、
を備え、
前記通信部は、前記制御部が生成した信号を前記無線通信装置へ送信する、
室内親機。
【請求項２】
前記制御部は、前記小型無線通信装置から受信した信号に基づいて、前記小型無線通信装置が前記室内親機の圏内であるか否かを判定し、判定結果を示す通知信号を生成し、
前記通信部は、前記通知信号を前記無線通信装置へ送信する、
請求項１に記載の室内親機。
【請求項３】
前記制御部は、前記小型無線通信装置から、前記無線通信装置との通話を要求する信号を受信した場合、前記無線通信装置に前記室内親機との通話を要求することを示す発信信号を生成し、
前記通信部は、前記発信信号を前記無線通信装置へ送信する、
請求項１に記載の室内親機。
【請求項４】
第１のユーザが第１の小型無線通信装置と前記無線通信装置とを所有し、第２のユーザが第２の小型無線通信装置を所有していることを示す登録情報を記憶する記憶部、
を更に備え、
前記制御部は、前記第１および第２の小型無線通信装置から受信した信号に基づいて、前記第１および第２の小型無線通信装置が前記室内親機の圏内であるか否かを判定し、
前記第１の小型無線通信装置が前記室内親機の圏内では無く、前記第２の小型無線通信装置が前記室内親機の圏内である場合、前記玄関子機からの着信を示す転送信号を生成し、
前記通信部は、前記転送信号を前記無線通信装置へ送信する、
請求項１に記載の室内親機。
【請求項５】
玄関扉の近傍に配置される玄関子機と、建物の内部に配置され、前記玄関子機と通信を行う室内親機と、を含むドアホンシステムであって、
前記室内親機は、
１つ以上の小型無線通信装置から信号を受信し、前記玄関子機からの信号を無線通信装置へ送信する通信部と、
前記小型無線通信装置から受信した信号に基づいて、前記無線通信装置に送信する信号を生成する制御部と、
を備え、
前記通信部は、前記制御部が生成した信号を前記無線通信装置へ送信する、
ドアホンシステム。
【請求項６】
玄関扉の近傍に配置される玄関子機と、建物の内部に配置され、前記玄関子機と通信を行う室内親機と、を含むドアホンシステムの室内親機における通信方法であって、
１つ以上の小型無線通信装置から信号を受信し、前記玄関子機からの信号を無線通信装置へ送信し、
前記小型無線通信装置から受信した信号に基づいて、前記無線通信装置に送信する信号を生成し、
前記生成した信号を、前記無線通信装置へ送信する、
通信方法。
【発明の詳細な説明】
【技術分野】
【０００１】
本開示は、室内親機、ドアホンシステム、および、通信方法に関する。
【背景技術】
【０００２】
従来、玄関への来訪者の確認を、玄関扉の近傍に配置された玄関子機を介して、室内の室内親機から行う事ができるドアホンシステムが、広く普及している。また、近年、室内親機に通信機能を設け、来訪者の確認をスマートフォン等の携帯可能な通信端末から行う技術が注目されている。
【０００３】
例えば、特許文献１には、玄関子機を介した来訪者の呼出操作に応じて、親機を介して、玄関子機と通信端末とを接続し、通信端末による来訪者への対応を通信端末から行うインターホンシステムが開示されている。
【先行技術文献】
【特許文献】
【０００４】
【特許文献１】特開２０１１−１３５２２１号公報
【発明の概要】
【発明が解決しようとする課題】
【０００５】
しかしながら、特許文献１に開示されるインターホンシステムには、利便性の面で改善の余地がある。例えば、近年、夫婦とその子供のみが同居する核家族化の進行、および、夫婦（つまり、子供の父親と母親）が共に仕事に従事する共働きの世帯の増加に伴い、子供と親が別々の場所で過ごす時間に対する不安を解消したいという要求が増えてきている。
【０００６】
本開示の非限定的な実施例は、子供と親が別々の場所で過ごす時間に対する不安を解消でき、利便性を向上させることができるドアホンシステムの室内親機、ドアホンシステム、および、通信方法の提供に資する。
【課題を解決するための手段】
【０００７】
本開示の一態様に係る室内親機は、玄関扉の近傍に配置される玄関子機と、建物の内部に配置され、前記玄関子機と通信を行う室内親機と、を含むドアホンシステムにおける前記室内親機であって、１つ以上の小型無線通信装置から信号を受信し、前記玄関子機からの信号を無線通信装置へ送信する通信部と、前記小型無線通信装置から受信した信号に基づいて、前記無線通信装置に送信する信号を生成する制御部と、を備え、前記通信部は、前記制御部が生成した信号を前記無線通信装置へ送信する。
【０００８】
本開示の一態様に係るドアホンシステムは、玄関扉の近傍に配置される玄関子機と、建物の内部に配置され、前記玄関子機と通信を行う室内親機と、を含むドアホンシステムであって、前記室内親機は、１つ以上の小型無線通信装置から信号を受信し、前記玄関子機からの信号を無線通信装置へ送信する通信部と、前記小型無線通信装置から受信した信号に基づいて、前記無線通信装置に送信する信号を生成する制御部と、を備え、前記通信部は、前記制御部が生成した信号を前記無線通信装置へ送信する。
【０００９】
本開示の一態様に係る通信方法は、玄関扉の近傍に配置される玄関子機と、建物の内部に配置され、前記玄関子機と通信を行う室内親機と、を含むドアホンシステムの室内親機における通信方法であって、１つ以上の小型無線通信装置から信号を受信し、前記玄関子機からの信号を無線通信装置へ送信し、前記小型無線通信装置から受信した信号に基づいて、前記無線通信装置に送信する信号を生成し、前記生成した信号を、前記無線通信装置へ送信する。
【００１０】
なお、これらの包括的または具体的な態様は、システム、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【００１１】
本開示の一態様によれば、子供と親が別々の場所で過ごす時間に対する不安を解消でき、利便性を向上させることができる。
【００１２】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１３】
【図１】本開示の一実施の形態に係るドアホンシステムの構成の一例を示すシステム構成図
【図２】本開示の一実施の形態に係る室内親機の構成の一例を示すブロック図
【図３】本開示の一実施の形態に係る玄関子機の構成の一例を示すブロック図
【図４】本開示の一実施の形態に係るキーフォブの構成の一例を示すブロック図
【図５】本開示の一実施の形態における在圏情報を通知する例を示すシーケンス図
【図６】本開示の一実施の形態におけるキーフォブからの通話の要求に基づいた通話を行う例を示すシーケンス図
【図７】本開示の一実施の形態における在圏情報に基づく玄関子機に対する応答処理の例を示すシーケンス図
【発明を実施するための形態】
【００１４】
以下、本開示の実施の形態について、図面を参照して詳細に説明する。なお、以下に説明する実施の形態は一例であり、本開示は以下の実施の形態により限定されるものではない。
【００１５】
＜ドアホンシステムの概要＞
まず、本開示の一実施の形態に係るドアホンシステムの概要について説明する。
【００１６】
図１は、本実施の形態に係るドアホンシステム１００の構成の一例を示すシステム構成図である。ここでは、システム構成の周辺の環境についても併せて図示している。
【００１７】
図１には、建物Ａに備えられるドアホンシステム１００と、ドアホンシステム１００と連携するキーフォブ（Key FOB）４００と、ドアホンシステム１００に無線ルータ７００および公共網５００を介して接続されるスマートフォン６００とが示される。
【００１８】
ドアホンシステム１００は、建物Ａの室内に配置される室内親機２００と、建物Ａの玄関扉の近傍に配置される玄関子機３００と、を有する。建物Ａは、例えば、子供とその夫婦（つまり、子供の父親と母親）が居住する住居である。
【００１９】
室内親機２００は、玄関子機３００と有線ケーブルによって接続される。なお、室内親機２００は、玄関子機３００と無線接続されても良い。
【００２０】
室内親機２００は、建物Ａの室内に配置される無線ルータ７００を介して、インターネット等の公共網５００に接続する。
【００２１】
スマートフォン６００は、スピーカ、タッチパネル付き液晶ディスプレイ、マイクロフォン（以下、マイク）、端末モニターボタン、および、端末通話ボタンを備えている。なお、これらのボタンは、例えば、タッチパネル付き液晶ディスプレイに表示される画像ボタンである。スマートフォン６００は、例えば、建物Ａの居住者が所有するスマートフォンである。なお、持ち出し可能であり、公共網５００と接続できる無線通信装置であれば、スマートフォンに限定されない。
【００２２】
キーフォブ４００は、無線通信機能を有する小型の無線通信装置であって、例えば、玄関扉などの鍵に取り付けられるキーホルダの形状を有する。キーフォブ４００は、例えば、建物Ａの居住者（例えば、居住する家族（子供と子供の父親と母親））それぞれに所有される。キーフォブ４００は、所有者毎に異なる識別子（キーフォブＩＤ）によって識別される。
【００２３】
なお、図１では、１つのキーフォブ４００が示されるが、ドアホンシステム１００は、２つ以上のキーフォブ４００と連携しても良い。また、図１では、１つのスマートフォン６００が示されるが、ドアホンシステム１００と接続するスマートフォン６００は、２つ以上であっても良い。
【００２４】
次に、ドアホンシステム１００の室内親機２００および玄関子機３００の構成について説明する。
【００２５】
＜室内親機の構成＞
図２は、本実施の形態に係る室内親機２００の構成の一例を示すブロック図である。
【００２６】
室内親機２００は、マイク（ＭＩＣ）２０１、スピーカ（ＳＰ）２０２、音声処理部２０３、表示部２０４、操作部２０５、外部メモリ接続部２０６、ドアホンインタフェース（ドアホンＩ／Ｆ）２０７、ＡＭ（Amplitude Modulation）信号変復調部２０８、ＦＭ（Frequency Modulation）信号復調部２０９、カメラ２１０、画像処理部２１１、通信部２１２、外部入出力インタフェース（外部入出力Ｉ／Ｆ）２１３、制御部２１４、記憶部２１５、および、親機電源部２１６を備える。
【００２７】
マイク２０１は、周囲の音声を集音してアナログ音声データに変換し、変換したアナログ音声データを音声処理部２０３へ出力する。
【００２８】
スピーカ２０２は、音声処理部２０３から出力されるアナログ音声データを音声に変換し、変換した音声を出力する。
【００２９】
音声処理部２０３は、制御部２１４から出力されたアナログ音声データに対して、信号レベルの調整を行い、スピーカ２０２および／またはドアホンインタフェース２０７へ出力する。また、音声処理部２０３は、マイク２０１から出力されたアナログ音声データに対して、信号レベルの調整を行い、制御部２１４またはドアホンインタフェース２０７へ出力する。また、音声処理部２０３は、ドアホンインタフェース２０７から出力されたアナログ音声データに対して、信号レベルの調整を行い、制御部２１４またはスピーカ２０２へ出力する。
【００３０】
カメラ２１０は、建物の内部の映像（または画像）を撮影し、撮影した映像をアナログ映像データに変換して、画像処理部２１１へ出力する。なお、カメラ２１０は、撮影した映像をデジタル映像データに変換し、デジタル映像データを画像処理部２１１へ出力しても良い。
【００３１】
ＦＭ信号復調部２０９は、ドアホンインタフェース２０７から出力されるＦＭ信号を復調し、後述する玄関子機３００のカメラにより撮影された映像のアナログ映像データを生成する。ＦＭ信号復調部２０９は、生成したアナログ映像データを画像処理部２１１へ出力する。
【００３２】
画像処理部２１１は、カメラ２１０および／またはＦＭ信号復調部２０９から出力されるアナログ映像データを、デジタル映像データに変換し、変換したデジタル映像データを制御部２１４へ出力する。なお、画像処理部２１１は、アナログ映像データに対して、画質の調整、ノイズキャンセル、画像圧縮処理などの所定の画像処理を行っても良い。また、カメラ２１０から出力されるデータが、デジタル映像データである場合、画像処理部２１１は、カメラ２１０から出力されるデータに対して、所定の画像処理を行い、画像処理後のデジタル映像データを制御部２１４へ出力する。なお、カメラ２１０から出力されるデータがアナログ映像データの場合に、画像処理部２１１は、デジタル映像データに変換することなく、アナログ映像データを出力しても良い。また、カメラ２１０から出力されるデータがデジタル映像データの場合に、画像処理部２１１は、デジタル映像データを、アナログ映像データに変換して、出力しても良い。映像データの形式は、アナログ、デジタルのいずれであっても良い。
【００３３】
表示部２０４は、例えば、液晶ディスプレイ（ＬＣＤ：Liquid Crystal Display）およびＬＥＤ（Light Emitting Diode）を含む。表示部２０４は、制御部２１４から出力される映像を表示し、制御部２１４から出力される指示に応じてＬＥＤの点灯等を行う。
【００３４】
操作部２０５は、例えば、表示部２０４に重畳されるタッチパネルおよび各種ボタンを含む。操作部２０５は、ユーザ（例えば、建物Ａの居住者）の操作を受けつけ、ユーザの操作内容を示す操作情報を制御部２１４へ出力する。
【００３５】
外部メモリ接続部２０６は、例えば、スロット状の挿入口を有し、ＳＤカードなどの外部メモリを受け付ける。そして、外部メモリ接続部２０６は、外部記憶メモリに記憶されたデータを抽出し、制御部２１４へ出力する。また、外部メモリ接続部２０６は、制御部２１４から出力されるデータを外部メモリへ転送する。
【００３６】
ドアホンインタフェース２０７は、玄関子機３００と有線接続または無線接続し、玄関子機３００との信号の送受信を行うインタフェースである。ドアホンインタフェース２０７は、玄関子機３００から出力される音声信号を音声処理部２０３へ出力する。また、ドアホンインタフェース２０７は、玄関子機３００から出力される制御信号をＡＭ信号変復調部２０８へ出力する。また、ドアホンインタフェース２０７は、ＦＭ変調が施された映像信号をＦＭ信号復調部２０９へ出力する。
【００３７】
ＡＭ信号変復調部２０８は、制御部２１４から出力される制御コマンドをＡＭ変調してＡＭ信号を生成する。ＡＭ信号変復調部２０８は、ドアホンインタフェース２０７を介して、生成したＡＭ信号を玄関子機３００へ出力する。なお、制御部２１４から出力される制御コマンドは、例えば、後述する玄関子機３００の照明部のオン／オフの制御、および、カメラの画質調整の命令を含む。
【００３８】
また、ＡＭ信号変復調部２０８は、ドアホンインタフェース２０７を介して、玄関子機３００から出力されるＡＭ信号を復調し、制御コマンドを生成する。ＡＭ信号変復調部２０８は、生成した制御コマンドを制御部２１４へ出力する。玄関子機３００から出力されるＡＭ信号は、例えば、玄関子機３００からの呼出し（つまり、来訪者の存在）を示す制御コマンドを含む。
【００３９】
通信部２１２は、無線通信回路およびアンテナを含み、キーフォブ４００と無線接続し、通信を行う。例えば、通信部２１２は、キーフォブ４００からビーコン信号等の信号を受信し、制御部２１４へ出力する。また、通信部２１２は、制御部２１４からビーコン信号に対する応答信号等の信号を取得し、キーフォブ４００へ送信する。
【００４０】
なお、通信部２１２は、キーフォブ４００以外の外部の無線機器と無線接続しても良い。キーフォブ４００以外の外部の無線機器とは、例えば、センサ、無線接続する玄関子機３００およびワイヤレスカメラである。例えば、玄関子機３００が室内親機２００と無線接続する場合、通信部２１２は、玄関子機３００とのインタフェースとして機能し、玄関子機３００と無線通信を行っても良い。また、通信部２１２と、キーフォブ４００を含む外部の無線機器との間の通信方式は、例えば、ＤＥＣＴ（Digital Enhanced Cordless Telecommunications）およびＷｉ−ｆｉ（登録商標）等の近距離または中距離無線通信方式である。
【００４１】
また、通信部２１２は、無線ルータ７００と無線接続し、無線ルータ７００を介して、通信相手と信号の送受信を行う。本実施の形態における通信相手とは、例えば、スマートフォン６００である。通信部２１２と無線ルータ７００との間の通信方式は、例えば、Ｗｉ−ｆｉである。なお、通信部２１２は、無線ルータ７００と有線により接続し、通信を行っても良い。
【００４２】
外部入出力インタフェース２１３は、外部機器８００と有線接続または無線接続するインタフェースである。外部機器８００とは、例えば、玄関扉を施錠および解錠する電気錠、火災を検知する火災警報器、および、後述する玄関子機３００からの呼出しに応じて点灯するチャイムを含む。
【００４３】
制御部２１４は、例えば、操作部２０５から出力される操作情報、ドアホンインタフェース２０７を介して玄関子機３００から取得する信号、記憶部２１５に記憶されている情報、および／または、通信部２１２を介してスマートフォン６００（図１参照）またはキーフォブ４００から取得する信号等に基づいて、室内親機２００の各部を制御する。
【００４４】
例えば、制御部２１４は、カメラ２１０を起動し、カメラ２１０が撮影した映像のデジタル映像データを取得する。制御部２１４は、表示部２０４に表示する映像を生成し、表示部２０４へ出力する。制御部２１４は、外部メモリに記憶する情報を生成し、外部メモリ接続部２０６へ転送する。制御部２１４は、記憶部２１５に記憶する情報を生成し、記憶部２１５へ出力する。
【００４５】
また、制御部２１４は、音声処理部２０３とのアナログ音声データの入出力を行う。音声処理部２０３へ出力するアナログ音声データは、例えば、後述するスマートフォン６００のマイクが集音した音声のデータを含む。音声処理部２０３から取得するアナログ音声データは、マイク２０１が集音した音声のデータである。
【００４６】
また、制御部２１４は、通信部２１２との信号の入出力を行う。通信部２１２へ出力する信号は、例えば、マイク２０１が集音した音声、玄関子機３００のマイクが集音した音声、カメラ２１０が撮影した映像、玄関子機３００のカメラが撮影した映像、および、キーフォブ４００へ送信する信号のいずれかを含む信号である。通信部２１２から取得する信号は、例えば、キーフォブ４００から受信する信号、スマートフォン６００のマイクが集音した音声、および、スマートフォン６００のカメラが撮影した映像いずれかを含む信号である。
【００４７】
また、制御部２１４は、キーフォブ４００から取得する信号に基づいて、キーフォブ４００を検知し、キーフォブ４００が室内親機２００の通信範囲内に存在するか否かを判定する。そして、制御部２１４は、キーフォブ４００が室内親機２００の通信範囲内に存在するか否かを示す情報を管理する。以下、キーフォブ４００が室内親機２００の通信範囲内に存在するか否かを示す情報を、在圏情報と記載する。在圏情報は、キーフォブ４００が室内親機２００の通信範囲内（圏内）か、または、キーフォブ４００が室内親機２００の通信範囲外（圏外）か、を示す。
【００４８】
複数のキーフォブ４００が存在する場合、例えば、建物Ａの居住者それぞれがキーフォブ４００を所有する場合、制御部２１４は、キーフォブ４００から取得する信号に含まれるキーフォブ４００のキーフォブＩＤを識別し、複数のキーフォブ４００それぞれの在圏情報を管理する。
【００４９】
キーフォブ４００のキーフォブＩＤとその所有者との対応関係を示す情報は、予め登録され、登録情報として記憶部２１５に記憶される。登録情報には、キーフォブ４００のキーフォブＩＤと、キーフォブ４００の所有者と、キーフォブ４００の所有者が所有するスマートフォン６００に関する情報（例えば、ＩＤ、電話番号およびメールアドレス）との対応関係が含まれる。
【００５０】
制御部２１４は、キーフォブ４００の在圏情報を含む通知信号を生成し、生成した通知信号をスマートフォン６００へ送信する。
【００５１】
通知信号の送信先のスマートフォン６００、および、送信する在圏情報の対象となるキーフォブ４００は、予め記憶部２１５に登録情報として記憶されている。例えば、通知信号の送信先のスマートフォン６００は、母親および／または父親の所有するスマートフォンであり、送信する在圏情報の対象となるキーフォブ４００は、子供の所有するキーフォブである。
【００５２】
なお、在圏情報の通知についての具体例は、後述する。
【００５３】
また、制御部２１４は、キーフォブ４００の在圏情報に基づいて、玄関子機３００に対する応答処理のモードを設定する。
【００５４】
ここで、スマートフォン６００を所有する第１のユーザ（例えば、母親）、および、第２のユーザ（例えば、子供）がそれぞれキーフォブ４００を所有する場合を例に挙げて説明する。
【００５５】
第１のユーザのキーフォブ４００が室内親機２００の圏内である場合、制御部２１４は、玄関子機３００から取得する、来訪者の存在を示す着信信号に対して、表示部２０４およびスピーカ２０２を介して着信がある旨を通知する。なお、制御部２１４が表示部２０４およびスピーカ２０２を介して着信がある旨を通知する動作を、以下では、適宜、着信動作と記載する。
【００５６】
第１のユーザのキーフォブ４００が室内親機２００の圏外であり、第２のユーザのキーフォブ４００が室内親機２００の圏内である場合、制御部２１４は、玄関子機３００から取得する着信信号をスマートフォン６００へ転送する。この場合、制御部２１４は、表示部２０４およびスピーカ２０２を介して、来訪者からの着信がある旨を通知しない。
【００５７】
そして、制御部２１４は、スマートフォン６００から、着信信号に対する応答を行う旨の応答信号を取得した場合、玄関子機３００とスマートフォン６００との通話（ドアホン通話）を開始する。その際、制御部２１４は、玄関子機３００から取得する音声および／または映像のデータをスマートフォン６００に転送し、スマートフォン６００から取得する音声のデータを玄関子機３００へ転送する処理を行う。
【００５８】
なお、在圏情報に基づく玄関子機３００に対する応答処理の具体例は、後述する。
【００５９】
また、制御部２１４は、キーフォブ４００からスマートフォン６００との通話を要求する呼出信号を取得した場合、スマートフォン６００を呼び出す発信信号を生成し、生成した発信信号を通話相手であるスマートフォン６００に対して送信する。そして、制御部２１４は、スマートフォン６００から応答信号を受信した場合、スマートフォン６００と室内親機２００との通話を開始する。
【００６０】
なお、キーフォブ４００からの通話の要求に基づく通話についての具体例は、後述する。
【００６１】
記憶部２１５は、制御部２１４から出力される各種情報、および、制御部２１４が参照する各種情報を記憶する。例えば、記憶部２１５は、キーフォブ４００に関する登録情報、キーフォブ４００の在圏情報、および、室内親機２００と玄関子機３００との間で行われた来訪者との応対の記録の情報などを記憶する。
【００６２】
親機電源部２１６は、商用電源を取得し、内部回路（例えば、室内親機２００の各部）に対して電源を供給する。
【００６３】
また、玄関子機３００が室内親機２００からの電源の供給を受けつける場合、親機電源部２１６は、ドアホンインタフェース２０７を介して、玄関子機３００へ電源を供給する。この場合、親機電源部２１６は、制御部２１４の制御により、玄関子機３００への電源の供給を開始する。なお、玄関子機３００がバッテリ駆動の場合、親機電源部２１６は、玄関子機３００へ電源を供給しない。
【００６４】
なお、上述した室内親機２００の各構成において、入出力される映像データおよび音声データの形式（アナログ形式またはデジタル形式）は、あくまで一例であり、本開示はこれに限定されない。
【００６５】
＜玄関子機の構成＞
図３は、本実施の形態に係る玄関子機３００の構成の一例を示すブロック図である。
【００６６】
玄関子機３００は、マイク（ＭＩＣ）３０１、スピーカ（ＳＰ）３０２、音声処理部３０３、照明部３０４、操作部３０５、カメラ３０６、画像処理部３０７、ドアホンインタフェース（ドアホンＩ／Ｆ）３０８、着信検出回路３０９、ＦＭ信号変調部３１０、ＡＭ信号変復調部３１１、制御部３１２、記憶部３１３、電源部３１４、バッテリ３１５を備える。
【００６７】
マイク３０１は、周囲の音声を集音してアナログ音声データに変換し、変換したアナログ音声データを音声処理部３０３へ出力する。
【００６８】
スピーカ３０２は、音声処理部３０３から出力されるアナログ音声データを音声に変換し、変換した音声を出力する。
【００６９】
音声処理部３０３は、ドアホンインタフェース３０８から出力されたアナログ音声データに対して、信号レベルの調整を行い、スピーカ３０２へ出力する。また、音声処理部３０３は、マイク３０１から出力されたアナログ音声データに対して、信号レベルの調整を行い、ドアホンインタフェース３０８を介して、室内親機２００へ出力する。
【００７０】
カメラ３０６は、玄関付近の映像（または画像）を撮影し、撮影した映像をデジタル映像データに変換して、画像処理部３０７へ出力する。
【００７１】
画像処理部３０７は、カメラ３０６から出力されるデジタル映像データを、アナログ映像データに変換し、変換したアナログ映像データを制御部３１２へ出力する。なお、画像処理部３０７は、アナログ映像データに対して、画質の調整、ノイズキャンセル、画像圧縮処理などの所定の画像処理を行っても良い。
【００７２】
照明部３０４は、例えば、来訪者を照らすＬＥＤライトである。照明部３０４は、制御部３１２から出力される指示に基づいて、ＬＥＤライトを点灯させる。
【００７３】
操作部３０５は、建物内の居住者を呼び出すための呼出ボタンを含む。操作部３０５は、ユーザ（例えば、建物への来訪者）の操作を受けつけ、ユーザの操作内容を示す操作情報を着信検出回路３０９へ出力する。
【００７４】
ドアホンインタフェース３０８は、室内親機２００と有線接続し、室内親機２００との信号の送受信を行うインタフェースである。
【００７５】
ＡＭ信号変復調部３１１は、制御部３１２から出力される制御コマンドをＡＭ変調してＡＭ信号を生成する。ＡＭ信号変復調部３１１は、ドアホンインタフェース３０８を介して、生成したＡＭ信号を室内親機２００へ出力する。制御部３１２から出力される制御コマンドは、例えば、室内親機２００の呼出しを示す制御コマンドを含む。
【００７６】
また、ＡＭ信号変復調部３１１は、ドアホンインタフェース３０８を介して、室内親機２００から出力されるＡＭ信号を復調し、制御コマンドを生成する。ＡＭ信号変復調部３１１は、生成した制御コマンドを制御部３１２へ出力する。室内親機２００から出力されるＡＭ信号は、照明部３０４のオン／オフの制御、および、カメラ３０６の画質調整の命令を含む。
【００７７】
ＦＭ信号変調部３１０は、制御部３１２から出力されるアナログ映像データをＦＭ変調してＦＭ信号を生成する。ＦＭ信号変調部３１０は、ドアホンインタフェース３０８を介して、生成したＦＭ信号を室内親機２００へ出力する。制御部３１２から出力されるアナログ映像データは、例えば、カメラ３０６により撮影された映像の映像データを含む。なお、ＦＭ信号変調部３１０は、画像処理部３０７からアナログ映像データを取得し、ＦＭ信号を生成しても良い。
【００７８】
着信検出回路３０９は、呼出ボタンが押下されたことを示す操作情報を操作部３０５から取得した場合、来訪者の存在を示す着信信号を生成し、ドアホンインタフェース３０８を介して、室内親機２００へ出力する。また、着信検出回路３０９は、着信信号を制御部３１２へ出力する。
【００７９】
制御部３１２は、例えば、着信検出回路３０９から出力される着信信号、ドアホンインタフェース３０８を介して室内親機２００から取得する信号等に基づいて、玄関子機３００の各部を制御する。
【００８０】
例えば、制御部３１２は、照明部３０４の点灯の指示を含む制御コマンドに基づいて、照明部３０４に対して、照明を点灯する指示を行う。
【００８１】
記憶部３１３は、制御部３１２から出力される各種情報、および、制御部３１２が参照する各種情報を記憶する。例えば、記憶部３１３は、室内親機２００と玄関子機３００との間で行われた来訪者との応対の記録の情報を記憶する。なお、室内親機２００の記憶部２１５において、応対の記録の情報が記憶される場合、記憶部３１３は、応対の記録の情報を記憶しなくても良い。
【００８２】
電源部３１４は、内部回路（例えば、玄関子機３００の各部）に対して電源を供給する。
【００８３】
玄関子機３００が室内親機２００からの電源の供給を受けつける場合、電源部３１４には、ドアホンインタフェース３０８を介して、室内親機２００から電源が供給される。例えば、室内親機２００は、着信信号を取得した場合に、玄関子機３００へ電源の供給を開始する。電源部３１４が、室内親機２００から電源の供給を受け、内部回路に電源を供給することにより、例えば、カメラ３０６により撮影された映像の映像データおよび／またはマイク３０１により集音された音声の音声データの室内親機２００への送信が開始される。この場合、室内親機２００から電源が供給されることが、玄関子機３００における応答開始のトリガとなる。
【００８４】
なお、玄関子機３００がバッテリ駆動の場合、電源部３１４には、バッテリ３１５から電源が供給されても良い。
【００８５】
なお、上述した玄関子機３００の各構成において、入出力される映像データおよび音声データの形式（アナログ形式またはデジタル形式）は、あくまで一例であり、本開示はこれに限定されない。
【００８６】
次に、ドアホンシステム１００と連携するキーフォブ４００の構成について説明する。
【００８７】
＜キーフォブの構成＞
図４は、本実施の形態に係るキーフォブ４００の構成の一例を示すブロック図である。
【００８８】
キーフォブ４００は、表示部４０１、操作部４０２、通信部４０３、制御部４０４、記憶部４０５、電源部４０６、および、バッテリ４０７を備える。
【００８９】
表示部４０１は、例えば、ＬＥＤライトであり、制御部４０４から出力される情報に応じて、点灯、点滅、および、消灯等の表示を行う。
【００９０】
操作部４０２は、例えば、１つ以上のボタンを含む。操作部４０２は、ユーザの操作を受けつけ、ユーザの操作内容を示す操作情報を制御部４０４へ出力する。
【００９１】
通信部４０３は、無線通信回路およびアンテナを含み、室内親機２００と無線接続し、通信を行う。例えば、通信部４０３は、制御部４０４からビーコン信号を取得し、ビーコン信号を室内親機２００へ送信する。また、通信部４０３は、制御部４０４からビーコン信号に対する応答信号を取得し、応答信号を室内親機２００へ送信する。また、通信部４０３は、制御部４０４から室内親機２００の制御を行うことを示す制御信号を取得し、制御信号を室内親機２００へ送信する。
【００９２】
制御部４０４は、例えば、操作部４０２から出力される操作情報、および／または、通信部４０２を介して室内親機２００から取得する信号等に基づいて、キーフォブ４００の各部を制御する。
【００９３】
例えば、制御部４０４は、定期的に（５分〜１０分間隔で）ビーコン信号を生成し、通信部４０３へ出力する。
【００９４】
また、制御部４０４は、室内親機２００から、ビーコン信号に対する応答信号を取得した場合、室内親機２００を検知したことを示す検知情報を生成し、記憶部４０５へ出力する。その際、制御部４０４は、表示部４０１に対して、検知情報を出力しても良い。
【００９５】
また、制御部４０４は、操作部４０２から、室内親機２００等を制御することを示す操作情報を取得した場合、制御内容を示す制御信号を生成し、通信部４０３へ出力する。例えば、制御部４０４は、室内親機２００を介したスマートフォン６００との通話を要求する操作情報を取得した場合、制御信号として、通話を要求することを示す呼出信号を生成し、通信部４０３へ出力する。
【００９６】
記憶部４０５は、制御部４０４から出力される各種情報、および、制御部４０４が参照する各種情報を記憶する。例えば、記憶部４０５は、室内親機２００を検知したことを示す検知情報、および、室内親機２００の制御に関する情報などを記憶する。
【００９７】
電源部４０６は、小型電池などのバッテリ４０７から電源の供給を受け、内部回路（例えば、キーフォブ４００の各部）に対して電源を供給する。
【００９８】
以上説明したドアホンシステム１００における、来訪者に対する応対の動作概要を説明する。
【００９９】
＜来訪者に対する応対の動作概要＞
来訪者が、操作部３０５の呼出ボタンを押下すると、着信検出回路３０９は、着信信号を生成し、ドアホンインタフェース３０８を介して、室内親機２００へ出力する。室内親機２００の制御部２１４は、玄関子機３００から着信信号を受信し、建物内の居住者に着信がある旨を通知する。例えば、制御部２１４は、着信音をスピーカ２０２から出力し、表示部２０４へメッセージを表示することにより、建物内の居住者に通知する。
【０１００】
居住者が、着信に対して応答を行うことを示す操作を操作部２０５に対して行うと、親機電源部２１６は、制御部２１４の制御により、玄関子機３００への電源の供給を開始する。また、制御部２１４は、マイク２０１が集音した音声のデータを含む信号を玄関子機３００へ出力する。なお、以下では、マイク２０１が集音した音声を、室内親機２００の音声と記載する。
【０１０１】
玄関子機３００の電源部３１４が、室内親機２００から電源の供給を受け、各部に電源の供給を開始したことをトリガとして、制御部３１２は、カメラ３０６が撮影した映像のデータ、および、マイク３０１が集音した音声のデータを取得する。制御部３１２は、取得したデータを含む信号を室内親機２００へ出力する。なお、以下では、カメラ３０６が撮影した映像、および、マイク３０１が集音した音声をそれぞれ、玄関子機３００の映像、および、玄関子機３００の音声と記載する。
【０１０２】
また、制御部３１２は、室内親機２００から取得する信号に基づき、室内親機２００の音声をスピーカ３０２から出力する。
【０１０３】
制御部２１４は、玄関子機３００から取得する信号に基づき、玄関子機３００の映像を表示部２０４へ表示し、玄関子機３００の音声をスピーカ２０２から出力する。
【０１０４】
以上のように、ドアホンシステム１００において、建物内の居住者と来訪者が、音声および映像による通話（ドアホン通話）を行うことによって、来訪者に対する応対が行われる。
【０１０５】
また、ドアホンシステム１００では、室内親機２００が、玄関子機３００から受信した着信信号を外部のスマートフォン６００に転送することによって、スマートフォン６００の所有者が、来訪者に対する応対を行っても良い。
【０１０６】
具体的には、室内親機２００の制御部２１４は、玄関子機３００から受信した着信信号をスマートフォン６００に転送する。また、親機電源部２１６は、制御部２１４の制御により、玄関子機３００への電源の供給を開始する。スマートフォン６００は、受信した着信信号に基づき、スマートフォン６００のスピーカから着信音を出力し、表示部に着信の旨を表示する。
【０１０７】
スマートフォン６００の所有者が、着信に対して応答を行うことを示す操作を操作部に対して行うと、スマートフォン６００は、応答信号を室内親機２００へ送信する。また、スマートフォン６００は、マイクが集音した音声のデータを含む信号を室内親機２００へ送信する。室内親機２００の制御部２１４は、スマートフォン６００から受信した信号を玄関子機３００へ転送する。なお、以下では、スマートフォン６００のマイクが集音した音声を、スマートフォン６００の音声と記載する。
【０１０８】
玄関子機３００は、上述した建物内の居住者が来訪者に応対する例と同様に、電源部３１４が、室内親機２００から電源の供給を受け、各部に電源の供給を開始したことをトリガとして、玄関子機３００の映像、および、玄関子機３００の音声のデータを含む信号を室内親機２００へ出力する。室内親機２００の制御部２１４は、玄関子機から取得した信号をスマートフォン６００へ転送する。
【０１０９】
また、制御部３１２は、スマートフォン６００から取得する信号に基づき、スマートフォン６００の音声をスピーカ３０２から出力する。
【０１１０】
スマートフォン６００は、玄関子機３００から取得する信号に基づき、玄関子機３００の映像を表示部へ表示し、玄関子機３００の音声をスピーカから出力する。
【０１１１】
以上説明したドアホンシステム１００において、建物の内部に配置される室内親機２００の通信部２１２は、キーフォブ４００から信号を受信し、制御部２１４は、キーフォブ４００から受信する信号に基づいて、スマートフォン６００に送信する信号を生成する。そして、通信部２１２は、制御部２１４が生成した信号をスマートフォン６００へ送信する。これにより、ドアホンシステム１００のユーザ、例えば、建物の居住者に対して、利便性の高い様々な機能を提供する。以下では、その機能を用いた動作の例について説明する。
【０１１２】
＜在圏情報を通知する例＞
第１の動作例は、ドアホンシステム１００の室内親機２００がキーフォブ４００から取得するビーコン信号に基づいて、在圏情報を通知する例である。
【０１１３】
図５は、本実施の形態における在圏情報を通知する例を示すシーケンス図である。図５に示すシーケンス図は、キーフォブ４００が室内親機２００の圏外にいる状態から圏内に移動するまでの流れと、圏内にいる状態から再び圏外へ移動するまでの流れの一例が示される。そして、図５に示すシーケンス図は、キーフォブ４００の在圏情報をスマートフォン６００へ通知する例である。例えば、キーフォブ４００の所有者が子供であり、スマートフォン６００の所有者が母親である。
【０１１４】
ステップＳ１０１にて、キーフォブ４００は、ビーコン信号を送信することによって、室内親機２００（親機）を探知する。ビーコン信号の送信は、所有者が操作することなく、定期的に（５分〜１０分間隔で）行われる。
【０１１５】
ステップＳ１０１およびステップＳ１０２では、キーフォブ４００が室内親機２００の圏外であるため、キーフォブ４００は、室内親機２００から応答信号を受信しない。そのため、ステップＳ１０２にて、キーフォブ４００は、室内親機２００を検知できない（検知不可である）と判定する。
【０１１６】
ステップＳ１０３にて、キーフォブ４００は、再度、ビーコン信号を送信することによって、室内親機２００を探知する。
【０１１７】
ステップＳ１０４にて、室内親機２００は、キーフォブ４００からビーコン信号を受信し、キーフォブ４００とのリンクを確立する。
【０１１８】
ステップＳ１０５にて、室内親機２００は、リンクを確立したことを示す応答信号をキーフォブ４００へ通知する。
【０１１９】
ステップＳ１０６にて、キーフォブ４００は、応答信号を受信することによって、室内親機２００を検知した、と判定する。
【０１２０】
ステップＳ１０７にて、室内親機２００は、キーフォブ４００が圏内に存在することを示す在圏情報をスマートフォン６００へ通知する。この通知は、公共網５００（図１参照）を介して行われる。
【０１２１】
ステップＳ１０８にて、スマートフォン６００は、公共網５００を介して、室内親機２００から在圏情報の通知を受信する。
【０１２２】
なお、図示は省略するが、キーフォブ４００は、ステップＳ１０６以降において、ビーコン信号の定期的な送信を行う。室内親機２００は、ステップＳ１０７以降において、ビーコン信号を受信した場合、キーフォブ４００とのリンクが確立されていることを確認する応答信号を通知する。これにより、室内親機２００は、キーフォブ４００が圏内に存在するか否かを定期的に確認する。
【０１２３】
ステップＳ１０９にて、キーフォブ４００は、ビーコン信号を送信することによって、室内親機２００を探知する。
【０１２４】
ステップＳ１０９およびステップＳ１１０では、キーフォブ４００が室内親機２００の圏内から圏外へ移動したため、キーフォブ４００は、室内親機２００から応答信号を受信しない。そのため、ステップＳ１１０にて、キーフォブ４００は、室内親機２００を検知できない（検知不可である）と判定する。
【０１２５】
ステップＳ１１１にて、室内親機２００は、キーフォブ４００から定期的に受信していたビーコン信号が受信できなくなったことを確認し、キーフォブ４００とのリンクが外れた、と判定する。
【０１２６】
ステップＳ１１２にて、室内親機２００は、キーフォブ４００とのリンクが外れたという判定結果に基づいて、キーフォブ４００が圏外に存在することを示す在圏情報をスマートフォン６００へ通知する。この通知は、公共網５００を介して行われる。
【０１２７】
ステップＳ１１３にて、スマートフォン６００は、公共網５００を介して、室内親機２００から在圏情報の通知を受信する。
【０１２８】
上述した図５のシーケンス図によって、室内親機２００は、キーフォブ４００が圏内に存在するか否かを判定し、在圏情報をスマートフォン６００へ通知できる。これにより、スマートフォン６００の所有者（例えば、母親）は、キーフォブ４００の所有者（例えば、子供）が室内親機２００の圏内か否か、例えば、在宅中か否かを確認できる。
【０１２９】
なお、上述した図５のシーケンス図では、キーフォブ４００が定期的にビーコン信号を送信し、室内親機２００がビーコン信号を受信した場合に応答信号をキーフォブ４００へ送信する例について説明した。本開示は、これに限定されない。例えば、室内親機２００が定期的にビーコン信号を送信し、キーフォブ４００がビーコン信号を受信した場合に応答信号を室内親機２００へ送信しても良い。この方法でも、室内親機２００は、キーフォブ４００とのリンクを確立でき、キーフォブ４００は、室内親機２００を検知できる。
【０１３０】
＜キーフォブからの通話の要求に基づく通話を行う例＞
第２の動作例は、ドアホンシステム１００の室内親機２００がキーフォブ４００から取得する、通話の要求を示す信号に基づいて、スマートフォン６００との通話を行う例である。
【０１３１】
図６は、本実施の形態におけるキーフォブ４００からの通話の要求に基づいた通話を行う例を示すシーケンス図である。図６に示すシーケンス図は、キーフォブ４００が室内親機２００の圏内に存在し、キーフォブ４００の所有者の操作によって、室内親機２００とスマートフォン６００との通話が行われるまでの流れの一例が示される。例えば、キーフォブ４００の所有者が子供であり、スマートフォン６００の所有者が母親である。
【０１３２】
ステップＳ２０１にて、キーフォブ４００は、スマートフォン６００との通話を要求する操作情報を取得し、スマートフォン６００との通話を要求する呼出信号を室内親機２００へ送信する。例えば、キーフォブ４００の所有者が操作部４０２（図４参照）を操作することによって、スマートフォン６００との通話が要求される。操作部４０２は、例えば、ボタンであり、キーフォブ４００の所有者は、ボタンを押下することによって、簡易に、スマートフォン６００との通話を要求できる。
【０１３３】
ステップＳ２０２にて、室内親機２００は、キーフォブ４００の呼出信号を受信する。
【０１３４】
ステップＳ２０３にて、室内親機２００は、スマートフォン６００を呼出す発信信号を送信する。この送信は、公共網５００（図１参照）を介して行われる。
【０１３５】
ステップＳ２０４にて、スマートフォン６００は、室内親機２００からの呼出しを示す発信信号を受信する。
【０１３６】
そして、ステップＳ２０５にて、室内親機２００とスマートフォン６００は、ビデオ通話を開始する。
【０１３７】
上述した図６のシーケンス図によって、キーフォブ４００の所有者（例えば、子供）は、簡易な方法でスマートフォン６００を呼出し、室内親機２００を介して、スマートフォン６００の所有者（例えば、母親）とビデオ通話を行うことができる。
【０１３８】
なお、上述した図６のシーケンス図では、キーフォブ４００の操作によって、室内親機２００とスマートフォン６００との通話が行われる例について説明した。本開示はこれに限定されない。キーフォブ４００の操作によって、室内親機２００が別の制御を実行しても良い。例えば、キーフォブ４００が、玄関扉を解錠する制御を示す制御信号を室内親機２００へ送信し、室内親機２００が受信した場合、室内親機２００の制御部２１４は、外部入出力インタフェース２１３（図２参照）を介して、外部機器８００に含まれる電子錠を解錠する制御を行っても良い。
【０１３９】
＜在圏情報に基づく玄関子機に対する応答処理を設定する例＞
第３の動作例は、ドアホンシステム１００の室内親機２００がキーフォブ４００の在圏情報に基づいて、玄関子機３００に対する応答処理のモードを設定する例である。
【０１４０】
図７は、本実施の形態における在圏情報に基づく玄関子機３００に対する応答処理の例を示すシーケンス図である。図７に示すシーケンス図は、室内親機２００が、室内親機２００の圏内に存在するキーフォブ４００と、室内親機２００の圏外に存在するキーフォブ４００との在圏情報に基づいて、玄関子機３００に対する応答処理を行う流れの一例が示される。
【０１４１】
例えば、室内親機２００の圏内に存在するキーフォブ４００の所有者は子供であり、室内親機２００の圏外に存在するキーフォブ４００の所有者は母親である。以下では、子供が所有するキーフォブ４００をキーフォブＡと記載し、母親が所有するキーフォブ４００をキーフォブＢと記載する。また、スマートフォン６００の所有者は、母親である。
【０１４２】
ステップＳ３０１にて、室内親機２００は、キーフォブＡが定期的に送信するビーコン信号を受信し、キーフォブＡとのリンクが確立されていることを確認する応答信号をキーフォブＡに送信する。
【０１４３】
ステップＳ３０２にて、キーフォブＡは、応答信号を受信し、室内親機２００を検知する。
【０１４４】
ステップＳ３０３にて、キーフォブＡは、室内親機２００とのリンクの確立が確認できたことを示す信号を室内親機２００へ送信する。
【０１４５】
ステップＳ３０４にて、キーフォブＢは、ビーコン信号を送信することによって、室内親機２００を探知する。
【０１４６】
キーフォブＢは、室内親機２００の圏外であるため、室内親機２００から応答信号を受信しない。そのため、ステップＳ３０５にて、キーフォブＢは、室内親機２００を検知できない（検知不可である）と判定する。
【０１４７】
ステップＳ３０６にて、室内親機２００は、在圏情報に基づいて、キーフォブＡを検知し、キーフォブＢを検知しない、と判定する。この判定結果は、キーフォブＡが圏内であり、キーフォブＢが圏外であることを示す。
【０１４８】
ステップＳ３０７にて、室内親機２００は、玄関子機３００に対する応答処理のモードを、子供在宅・母親不在モードに設定する。
【０１４９】
ステップＳ３０８にて、玄関子機３００は、来訪者からの呼出し操作を取得し、着信信号を室内親機２００へ送信することによって、室内親機２００を呼び出す。
【０１５０】
ステップＳ３０９にて、室内親機２００は、玄関子機３００から着信信号を受信し、玄関子機３００からの着信を確認する。
【０１５１】
ステップＳ３１０にて、室内親機２００は、設定したモードに基づいて、室内親機２００の着信動作をオフにし、スマートフォン６００を呼び出す。スマートフォン６００を呼び出す処理は、例えば、室内親機２００が着信信号をスマートフォン６００に転送することによって行われる。
【０１５２】
ステップＳ３１１にて、スマートフォン６００は、室内親機２００からの呼出しを示す着信信号を受信する。
【０１５３】
ステップＳ３１２にて、スマートフォン６００と玄関子機３００は、ドアホン通話を開始する。その際、室内親機２００は、玄関子機３００から取得する音声データおよび映像データをスマートフォン６００に転送し、スマートフォン６００から取得する音声データを玄関子機３００に転送する。
【０１５４】
なお、母親のキーフォブＢが圏内である場合、室内親機２００は、玄関子機３００に対する応答処理のモードを、母親在宅モードに設定する。この場合、室内親機２００は、室内親機２００の着信動作をオンにし、スマートフォン６００を呼び出さない。
【０１５５】
また、母親、子供を含む家族全員のキーフォブ４００が圏外である場合、室内親機２００は、玄関子機３００に対する応答処理のモードを、全員不在モードに設定する。この場合、室内親機２００は、室内親機２００の着信動作をオフにし、玄関子機３００から音声等によって不在である旨を通知する。
【０１５６】
＜本実施の形態のまとめ＞
以上説明したように、本実施の形態におけるドアホンシステム１００において、建物の内部に配置される室内親機２００の通信部２１２は、キーフォブ４００から信号を受信し、玄関子機３００からの信号をスマートフォン６００に送信する。制御部２１４は、キーフォブ４００から受信した信号に基づいて、スマートフォン６００に送信する信号を生成する。そして、通信部２１２は、制御部２１４が生成した信号をスマートフォン６００へ送信する。これにより、ドアホンシステム１００とキーフォブ４００が連携できるため、子供と親が別々の場所で過ごす時間に対する不安を解消でき、利便性を向上させることができる。
【０１５７】
例えば、本実施の形態におけるドアホンシステム１００を用いると、夫婦とその子供のみが同居し、共に仕事に従事する夫婦（つまり、父親と母親）が、子供が帰宅したか否か、あるいは、子供が外出中か否かを外部から確認できるため、子供と親が別々の場所で過ごす時間に対する不安を解消でき、親の目の届く距離感で子供を見ることができる。
【０１５８】
また、本実施の形態におけるドアホンシステム１００を用いると、留守番中の子供が、共に仕事に従事する父親および／または母親との通話を簡易に行うことができるため、子供と親が別々の場所で過ごす時間に対する不安を解消でき、親の目の届く距離感で子供を見ることができる。
【０１５９】
また、本実施の形態におけるドアホンシステム１００を用いると、留守番中の子供が、来訪者との応対を行うことを避け、父親および／または母親が応対を行うことができるため、子供と親が別々の場所で過ごす時間に対する不安を解消でき、親の目の届く距離感で子供を見ることができる。
【０１６０】
なお、上述した実施の形態では、室内親機２００がカメラ２１０を有する例について説明した。本開示はこれに限定されない。室内親機２００は、カメラ２１０を有さなくても良い。室内親機２００がカメラ２１０を有さない場合、例えば、室内親機２００とスマートフォン６００との通話（図６のステップＳ２０５参照）は、室内親機２００とスマートフォン６００がお互いの映像を確認するビデオ通話では無く、音声のみの通話、あるいは、室内親機２００がスマートフォン６００の映像を確認し、スマートフォン６００が室内親機２００の映像を確認しない一方向のビデオ通話となっても良い。
【０１６１】
なお、上述した実施の形態では、父親、母親、子供の家族構成を一例として説明した。本開示はこれに限定されない。本開示のドアホンシステム１００が適用される家族構成は、適宜変更されても良い。また、本開示のドアホンシステム１００の適用は、家族が居住する建物に限定されない。
【０１６２】
本開示はソフトウェア、ハードウェア、又は、ハードウェアと連携したソフトウェアで実現することが可能である。
【０１６３】
上記実施の形態の説明に用いた各機能ブロックは、部分的に又は全体的に、集積回路であるＬＳＩとして実現され、上記実施の形態で説明した各プロセスは、部分的に又は全体的に、一つのＬＳＩ又はＬＳＩの組み合わせによって制御されてもよい。ＬＳＩは個々のチップから構成されてもよいし、機能ブロックの一部または全てを含むように一つのチップから構成されてもよい。ＬＳＩはデータの入力と出力を備えてもよい。ＬＳＩは、集積度の違いにより、ＩＣ、システムＬＳＩ、スーパーＬＳＩ、ウルトラＬＳＩと呼称されることもある。
【０１６４】
集積回路化の手法はＬＳＩに限るものではなく、専用回路、汎用プロセッサ又は専用プロセッサで実現してもよい。また、ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１６５】
本開示は、デジタル処理又はアナログ処理として実現されてもよい。さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１６６】
以上、図面を参照しながら各種の実施の形態について説明したが、本開示はかかる例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。また、開示の趣旨を逸脱しない範囲において、上記実施の形態における各構成要素を任意に組み合わせてもよい。
【産業上の利用可能性】
【０１６７】
本開示は、ドアホンシステムとして有用である。
【符号の説明】
【０１６８】
１００  ドアホンシステム
２００  室内親機
２０１、３０１  マイク
２０２、３０２  スピーカ
２０３、３０３  音声処理部
２０４、４０１  表示部
２０５、３０５、４０２  操作部
２０６  外部メモリ接続部
２０７、３０８  ドアホンインタフェース
２０８、３１１  ＡＭ信号変復調部
２０９  ＦＭ信号復調部
２１０、３０６  カメラ
２１１、３０７  画像処理部
２１２、４０３  通信部
２１３  外部入出力インタフェース
２１４、３１２、４０４  制御部
２１５、３１３、４０５  記憶部
２１６  親機電源部
３００  玄関子機
３０４  照明部
３０９  着信検出回路
３１０  ＦＭ信号変調部
３１４、４０６  電源部
３１５、４０７  バッテリ
４００  キーフォブ
５００  公共網
６００  スマートフォン
７００  無線ルータ
８００  外部機器
【図１】
2019092068.tif 000003
【図２】
2019092068.tif 000004
【図３】
2019092068.tif 000005
【図４】
2019092068.tif 000006
【図５】
2019092068.tif 000007
【図６】
2019092068.tif 000008
【図７】
2019092068.tif 000009
【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
玄関扉の近傍に配置される玄関子機と、建物の内部に配置され、前記玄関子機と通信を行う室内親機と、を含むドアホンシステムにおける前記室内親機であって、
１つ以上の小型無線通信装置から信号を受信し、前記玄関子機からの信号を無線通信装置へ送信する通信部と、
前記小型無線通信装置から受信した信号に基づいて、前記無線通信装置に送信する信号を生成する制御部と、
を備え、
前記通信部は、前記制御部が生成した信号を前記無線通信装置へ送信し、
前記制御部は、前記小型無線通信装置から、前記無線通信装置との通話を要求する信号を受信した場合、前記無線通信装置に前記室内親機との通話を要求することを示す発信信号を生成し、
前記通信部は、前記発信信号を前記無線通信装置へ送信する、
室内親機。
【請求項２】
前記制御部は、前記小型無線通信装置から受信した信号に基づいて、前記小型無線通信装置が前記室内親機の圏内であるか否かを判定し、判定結果を示す通知信号を生成し、
前記通信部は、前記通知信号を前記無線通信装置へ送信する、
請求項１に記載の室内親機。
【請求項３】
第１のユーザが第１の小型無線通信装置と前記無線通信装置とを所有し、第２のユーザが第２の小型無線通信装置を所有していることを示す登録情報を記憶する記憶部、
を更に備え、
前記制御部は、前記第１および第２の小型無線通信装置から受信した信号に基づいて、前記第１および第２の小型無線通信装置が前記室内親機の圏内であるか否かを判定し、
前記第１の小型無線通信装置が前記室内親機の圏内では無く、前記第２の小型無線通信装置が前記室内親機の圏内である場合、前記玄関子機からの着信を示す転送信号を生成し、
前記通信部は、前記転送信号を前記無線通信装置へ送信する、
請求項１に記載の室内親機。
【請求項４】
玄関扉の近傍に配置される玄関子機と、建物の内部に配置され、前記玄関子機と通信を行う室内親機と、を含むドアホンシステムであって、
前記室内親機は、
１つ以上の小型無線通信装置から信号を受信し、前記玄関子機からの信号を無線通信装置へ送信する通信部と、
前記小型無線通信装置から受信した信号に基づいて、前記無線通信装置に送信する信号を生成する制御部と、
を備え、
前記通信部は、前記制御部が生成した信号を前記無線通信装置へ送信し、
前記制御部は、前記小型無線通信装置から、前記無線通信装置との通話を要求する信号を受信した場合、前記無線通信装置に前記室内親機との通話を要求することを示す発信信号を生成し、
前記通信部は、前記発信信号を前記無線通信装置へ送信する、
ドアホンシステム。
【請求項５】
玄関扉の近傍に配置される玄関子機と、建物の内部に配置され、前記玄関子機と通信を行い、前記玄関子機からの信号を無線通信装置へ送信する室内親機と、を含むドアホンシステムの室内親機における通信方法であって、
１つ以上の小型無線通信装置から信号を受信し、
前記小型無線通信装置から、前記無線通信装置との通話を要求する信号を受信した場合、前記無線通信装置に前記室内親機との通話を要求することを示す発信信号を生成し、
前記発信信号を前記無線通信装置へ送信する、
通信方法。
【手続補正２】
【補正対象書類名】明細書
【補正対象項目名】０００７
【補正方法】変更
【補正の内容】
【０００７】
本開示の一態様に係る室内親機は、玄関扉の近傍に配置される玄関子機と、建物の内部に配置され、前記玄関子機と通信を行う室内親機と、を含むドアホンシステムにおける前記室内親機であって、１つ以上の小型無線通信装置から信号を受信し、前記玄関子機からの信号を無線通信装置へ送信する通信部と、前記小型無線通信装置から受信した信号に基づいて、前記無線通信装置に送信する信号を生成する制御部と、を備え、前記通信部は、前記制御部が生成した信号を前記無線通信装置へ送信し、前記制御部は、前記小型無線通信装置から、前記無線通信装置との通話を要求する信号を受信した場合、前記無線通信装置に前記室内親機との通話を要求することを示す発信信号を生成し、前記通信部は、前記発信信号を前記無線通信装置へ送信する。
【手続補正３】
【補正対象書類名】明細書
【補正対象項目名】０００８
【補正方法】変更
【補正の内容】
【０００８】
本開示の一態様に係るドアホンシステムは、玄関扉の近傍に配置される玄関子機と、建物の内部に配置され、前記玄関子機と通信を行う室内親機と、を含むドアホンシステムであって、前記室内親機は、１つ以上の小型無線通信装置から信号を受信し、前記玄関子機からの信号を無線通信装置へ送信する通信部と、前記小型無線通信装置から受信した信号に基づいて、前記無線通信装置に送信する信号を生成する制御部と、を備え、前記通信部は、前記制御部が生成した信号を前記無線通信装置へ送信し、前記制御部は、前記小型無線通信装置から、前記無線通信装置との通話を要求する信号を受信した場合、前記無線通信装置に前記室内親機との通話を要求することを示す発信信号を生成し、前記通信部は、前記発信信号を前記無線通信装置へ送信する。
【手続補正４】
【補正対象書類名】明細書
【補正対象項目名】０００９
【補正方法】変更
【補正の内容】
【０００９】
本開示の一態様に係る通信方法は、玄関扉の近傍に配置される玄関子機と、建物の内部に配置され、前記玄関子機と通信を行い、前記玄関子機からの信号を無線通信装置へ送信する室内親機と、を含むドアホンシステムの室内親機における通信方法であって、１つ以上の小型無線通信装置から信号を受信し、前記小型無線通信装置から、前記無線通信装置との通話を要求する信号を受信した場合、前記無線通信装置に前記室内親機との通話を要求することを示す発信信号を生成し、前記発信信号を前記無線通信装置へ送信する。